(57)【特許請求の範囲】
【請求項１】
第１挟持体の一端側と第２挟持体の一端側とを固着し、前記第１および第２挟持体の他端を所定間隔で対峙させたピンセットにおいて、
前記第１および第２挟持体を所定の押圧力で押圧すると、前記他端同士がわずかな重なり代で圧接し、前記押圧力以上で前記第１および第２挟持体を押圧すると、前記他端同士が前記押圧力と直交する方向で、離れる方向へ移動して稜線同士が圧接した状態で摺接する形状に、前記第１および第２挟持体の他端を形成し、前記第１および第２挟持体の他端に、着脱可能なキャップを装着した、
ことを特徴とするピンセット。
【請求項２】
請求項１に記載のピンセットにおいて、
前記第１および／または第２挟持体に、前記キャップを収容するキャップ収容部を設けた、
ことを特徴とするピンセット。
【発明の詳細な説明】
【０００１】
【産業上の利用分野】
この発明は、水草および草花の損傷した葉などを切断するのに好適なピンセットに関するものである。
【０００２】
【従来の技術】
従来のピンセットは、第１挟持体の一端側と第２挟持体の一端側とを固着し、第１および第２挟持体の他端を所定間隔で対峙させた構成とされている。
したがって、第１および第２挟持体の力点となる中央部分に指を当てて押圧すると、第１および第２挟持体が支点である固着された一端部を中心にして撓み、他端同士が圧接するので、他端同士で物を挟むことができる。
【０００３】
【発明が解決しようとする課題】
しかしながら、従来のピンセットは、単に物を挟む機能しか備えていないので、例えば水槽で成育させ、鑑賞する水草の損傷したり、無駄な葉および細い茎などを挟むことができるものの、葉および細い茎などを切断することができなかった。
【０００４】
したがって、ピンセットで切断する葉または細い茎を挟み、鋏を用いて葉または茎などを切断しなければならないので、無駄な葉および細い茎などを切断するためには、ピンセットおよび鋏が必要になる。
そして、狭い水槽内で、一方の手にピンセットを持ち、他方の手に鋏を持っての作業となるので、作業が能率よく行えないなどの不都合があった。
【０００５】
この発明は、上記したような不都合を解消するためになされたもので、水草および草花の葉などを切断することもできるピンセットを提供するものである。
【０００６】
【課題を解決するための手段】
この発明は、第１挟持体の一端側と第２挟持体の一端側とを固着し、第１および第２挟持体の他端を所定間隔で対峙させたピンセットにおいて、第１および第２挟持体を所定の押圧力で押圧すると、他端同士がわずかな重なり代で圧接し、所定の押圧力以上で第１および第２挟持体を押圧すると、他端同士が押圧力と直交する方向で、離れる方向へ移動して稜線同士が圧接した状態で摺接する形状に、第１および第２挟持体の他端を形成し、第１および第２挟持体の他端に着脱可能なキャップを装着したものである。
そして、第１および／または第２挟持体にキャップを収容するキャップ収容部を設けるのが望ましい。
【０００７】
【作用】
この発明におけるピンセットは、第１および第２挟持体を所定の押圧力で押圧すると、他端同士がわずかな重なり代で圧接するので、または第１および第２挟持体の他端にキャップを装着して押圧すると、キャップ同士が圧接するので、物を他端同士またはキャップ同士で挟める。
そして、第１および第２挟持体の他端にキャップを装着せず、第１および第２挟持体を所定の押圧力以上で押圧すると、他端同士が押圧力と直交する方向で、離れる方向へ移動するので、他端の稜線同士が圧接した状態で摺接するため、他端の各稜線部分が鋏の歯として機能する。
【０００８】
【実施例】
以下、この発明の実施例を図に基づいて説明する。
図１（ａ），（ｂ）はこの発明の第１実施例であるピンセットを示す斜視図と、先端部分を示す拡大側面図、図２は第１挟持体または第２挟持体の一部を示す説明図、図３（ａ），（ｂ），（ｃ）および（ｄ）は説明図である。
なお、図１（ｂ）は図１（ａ）の矢印Ｂ方向から見たものである。
【０００９】
これらの図において、１Ａは第１挟持体を示し、所定の肉厚を有する金属板で構成され、一端側が幅広とされ、途中から他端部まで幅が狭くなっている。
そして、他端部の先端部分は、例えば１５度の角度で、後述する第２挟持体１Ｂ側へ折り曲げられるとともに、図１（ｂ）に示すように、幅が半分とされ、その幅のままで先端が中心線から右側へ所定のはみ出し代ｏ、例えば０．２５ｍｍはみ出す形状とされている。
【００１０】
１Ｂは第２挟持体を示し、一端側が第１挟持体１Ａの一端側に固着され、第１挟持体１Ａと同一構成とされている。すなわち、所定の肉厚を有する金属板で構成され、一端側が幅広とされ、途中から他端部まで幅が狭くなっている。
そして、他端部の先端部分は、例えば１５度の角度で、第１挟持体１Ａ側へ折り曲げられるとともに、図１（ｂ）に示すように、幅が半分とされ、その幅のままで先端が中心線から右側へ所定のはみ出し代ｏ、例えば０．２５ｍｍはみ出す形状とされている。
【００１１】
２ａ，２ｂはキャップ収容部としての角孔を示し、角孔２ａは第１挟持体１Ａの一端側の幅広部分に形成され、角２ｂは第２挟持体１Ｂの一端側の幅広部分に形成されている。
３Ａ，３Ｂは滑り止め用のパッドを示し、パッド３Ａは第１挟持体１Ａの幅広部分の他端側の外側に接着され、パッド３Ｂは第２挟持体１Ｂの幅広部分の他端側の外側に接着されている。
【００１２】
４Ａ，４Ｂはチューブで構成されたキャップを示し、キャップ４Ａは第１挟持体１Ａの他端部に被せるように装着するものであり、キャップ４Ｂは第２挟持体１Ｂの他端部に被せるように装着するものである。
【００１３】
次に、動作について説明する。
まず、通常のピンセットとして使用する場合は、図１（ａ）に示す第１および第２挟持体１Ａ，１Ｂの力点となるパッド３Ａ，３Ｂ部分に指を当てて所定の押圧力で押圧すると、第１および第２挟持体１Ａ，１Ｂが支点である固着された一端部を中心にして撓み、図３（ａ）に示すように、第１および第２挟持体１Ａ，１Ｂの先端部分がわずかな重なり代ｄ、例えば０．５ｍｍで重なるので、他端同士で物を挟むことができる。
【００１４】
次に、ピンセットを切断具である鋏として使用する場合は、同様に、図１（ａ）に示す第１および第２挟持体１Ａ，１Ｂの力点となるパッド３Ａ，３Ｂ部分に指を当てて所定の押圧力以上で押圧すると、第１および第２挟持体１Ａ，１Ｂが支点である固着された一端部を中心にして撓み、図３（ａ）に示すように、第１および第２挟持体１Ａ，１Ｂの先端部分が０．５ｍｍの重なり代ｄで重なるが、他端同士が押圧力と直交する方向で、離れる方向へ移動するので、図３（ｂ）および（ｃ）に示すように、稜線１ａ，１ｂ同士が圧接した状態で摺接することとなる。
したがって、各稜線１ａ，１ｂ部分が鋏の歯として機能し、葉や細い茎などを切断することができる。
【００１５】
上述したように、この発明の第１実施例のピンセットによれば、葉や細い茎などを切断することもできるので、水槽内で無駄な葉または細い茎などを挟持しながら切断するために鋏が不要となる。
したがって、片手でピンセットを持って作業をすることができるので、狭い水槽内での作業を能率よく行うことができる。
【００１６】
そして、稜線１ａ，１ｂ同士が圧接した状態で摺接するのは、各他端に大きな応力が蓄積された後になるので、早いスピードで稜線１ａ，１ｂ同士が摺接するため、切れ味がよく、各稜線１ａ，１ｂ部分を鋭くしなくとも容易に切断することができる。
さらに、稜線１ａ，１ｂ同士が摺接するときは、図３（ｃ）に示すように、他端部の先端から摺接するので、切断物を逃げないように挟持して切断することができる。
【００１７】
次に、第１および第２挟持体１Ａ，１Ｂを所定の押圧力以上で撓ませたときもピンセットとして機能させたり、鋏の機能を必要としないときは、図３（ｄ）に示すように、各他端にキャップ４Ａ，４Ｂを装着して被せると、キャップ４Ａ，４Ｂ同士が圧接するので、ピンセットとして機能し、尖った他端がキャップ４Ａ，４Ｂで覆われるため、安全性を確保することができる。
そして、キャップ４Ａ，４Ｂを第１および第２挟持体１Ａ，１Ｂの他端に装着しないときは、図２に示すように、角孔２ａ，２ｂにキャップ４Ａ，４Ｂを圧入させると、キャップ４Ａ，４Ｂを角孔２ａ，２ｂに保持させることができるので、キャップ４Ａ，４Ｂを紛失する恐れがなくなる。
【００１８】
図４はこの発明の第２実施例であるピンセットを示す斜視図である。
この第２実施例のピンセットが第１実施例のピンセットと異なるのは、第１実施例では対峙する他端が第１および第２挟持体１Ａ，１Ｂの直線上の先端に位置しているが、く字状に曲がった先端に位置する点のみである。
なお、動作の説明は第１実施例と同様になるので、その説明は省略するが、第１実施例と同様な効果を得ることができる。
【００１９】
上記した各実施例では、第１および第２挟持体１Ａ，１Ｂにそれぞれ角孔２ａ，２ｂを設けた例で説明したが、第１または第２挟持体に、２つのキャップを収容する孔を設けてもよい。
【００２０】
【発明の効果】
以上のように、この発明によれば、第１および第２挟持体を所定の押圧力で押圧すると、他端同士がわずかな重なり代で圧接し、所定の押圧力以上で第１および第２挟持体を押圧すると、他端同士が押圧力と直交する方向で、離れる方向へ移動して稜線同士が圧接した状態で摺接する形状に、第１および第２挟持体の他端を形成したので、葉や細い茎などを切断することもできるため、水槽内で無駄な葉または細い茎などを挟持しながら切断するために鋏が不要となる。
したがって、片手でピンセットを持って作業をすることができるので、狭い水槽内での作業を能率よく行うことができる。
【００２１】
そして、稜線同士が圧接した状態で摺接するのは、各他端に大きな応力が蓄積された後になるので、早いスピードで稜線同士が摺接するため、切れ味がよく、各稜線部分を鋭くしなくとも容易に切断することができる。
さらに、稜線同士が摺接するときは、他端部の先端から摺接するので、切断物を逃げないように挟持して切断することができる。
【００２２】
次に、第１および第２挟持体の他端に着脱可能なキャップを装着したので、第１および第２挟持体を所定の押圧力以上で撓ませたときもピンセットとして機能させることができ、第１および第２挟持体の他端が尖っていても他端を覆うことができるため、安全性を確保することができる。
また、第１および／または第２挟持体に、キャップを収容するキャップ収容部を設けたので、キャップを第１および第２挟持体の他端に装着しないときはキャップ収容部に収容させることにより、キャップを紛失する恐れがなくなる。
【図面の簡単な説明】
【図１】（ａ），（ｂ）はこの発明の第１実施例であるピンセットを示す斜視図と、先端部分を示す拡大側面図である。
【図２】第１挟持体または第２挟持体の一部を示す説明図である。
【図３】（ａ），（ｂ），（ｃ）および（ｄ）は説明図である。
【図４】この発明の第２実施例であるピンセットを示す斜視図である。
【符号の説明】
１Ａ        第１挟持体
１ａ        稜線
１Ｂ        第２挟持体
１ｂ        稜線
２ａ，２ｂ  角孔
３Ａ，３Ｂ  パッド
４Ａ，４Ｂ  キャップ
ｏ          はみ出し代
ｄ          重なり代
【図１】
0003600648.tif 000002
【図２】
0003600648.tif 000003
【図３】
0003600648.tif 000004
【図４】
0003600648.tif 000005